(57)【要約】【目的】  受信番組の映像表示不能状態が生じた場合でもユーザにおける情報取得に関する利便性を向上できるディジタル放送受信装置を提供する。【構成】  ＣＰＵは、映像表示不能状態となったとき、「受信できません」といったメッセージを画面表示する。更に、ＣＰＵは、当該番組の受信中に取得しておいたＰＳＩ／ＳＩから番組情報を取り出し、放送局名、チャンネル番号、番組タイトル等を画面表示する。更に、番組情報のなかに番組サイトの閲覧先としてＵＲＩが存在すれば、その選択のための番組サイトボタンを表示する。ユーザによって番組サイトボタンが操作されたときには、ＰＨＳデータカードによるインターネット接続処理を行い、受信したファイルに基づく画像をＬＣＤパネル２０２に表示する。【選択図】      図２
2005333593.tif 000002
【特許請求の範囲】
【請求項１】
ディジタル放送を受信して各種データを取得するディジタル放送受信装置において、受信番組の映像表示不能状態かどうかを判断する手段と、映像表示不能状態と判断されたときに前記各種データとして取得しておいた当該受信番組の番組情報を画面に表示する手段と、を備えたことを特徴とするディジタル放送受信装置。
【請求項２】
ディジタル放送を受信して各種データを取得するディジタル放送受信装置において、受信番組の映像表示不能状態かどうかを判断する手段と、映像表示不能状態と判断されたときに前記各種データとして取得しておいたコマーシャル情報を画面に表示する手段と、を備えたことを特徴とするディジタル放送受信装置。
【請求項３】
ディジタル放送を受信して各種データを取得するディジタル放送受信装置において、受信番組の映像表示不能状態かどうかを判断する手段と、映像表示不能状態と判断されたときに前記各種データとして取得しておいた一つ又は複数の番組シーン画像を画面に表示する手段と、を備えたことを特徴とするディジタル放送受信装置。
【請求項４】
ディジタル放送を受信して各種データを取得するディジタル放送受信装置において、受信番組の映像表示不能状態かどうかを判断する手段と、映像表示不能状態と判断されたときに前記各種データとして取得しておいたデータ放送データを画面に表示する手段と、を備えたことを特徴とするディジタル放送受信装置。
【請求項５】
請求項１乃至請求項４のいずれかに記載のディジタル放送受信装置において、ネットワーク接続手段と、受信ファイル閲覧手段とを備え、映像表示不能状態と判断されたときに前記各種データとして取得しておいたサイト接続情報に基づくボタンを画面に表示し、前記ボタンに対する操作がなされたときにネットワーク接続を行って画面に受信ファイルを表示するように構成されたことを特徴とするディジタル放送受信装置。
【請求項６】
請求項１乃至請求項５のいずれかに記載のディジタル放送受信装置において、受信番組の映像表示不能状態と判断されたときに、所定の指令を当該受信装置に与えるためのボタンを画面表示するように構成されたことを特徴とするディジタル放送受信装置。
【請求項７】
請求項１乃至請求項６のいずれかに記載のディジタル放送受信装置において、受信番組の映像表示不能状態と判断されたときの処理の前に、最終画像の表示を所定時間行うことを特徴とするディジタル放送受信装置。
【請求項８】
請求項１乃至請求項７のいずれかに記載のディジタル放送受信装置において、受信番組の映像表示不能状態と判断されたときの処理として選択可能な複数の処理を用意しており、ユーザにより指定されている処理を実行するように構成されたことを特徴とするディジタル放送受信装置。
【請求項９】
請求項１乃至請求項７のいずれかに記載のディジタル放送受信装置において、受信番組の映像表示不能状態と判断されたときの処理として一つ又は複数の処理を用意しており、受信番組で指定されている処理を実行するように構成されたことを特徴とするディジタル放送受信装置。
【発明の詳細な説明】
【技術分野】
【０００１】
この発明は、ディジタル放送を受信するディジタル放送受信装置に関する。
【背景技術】
【０００２】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力することができる。また、近年においては、ディジタルテレビ放送を携帯電話などの移動端末で視聴することが可能になっている（特許文献１，特許文献２参照）。
【特許文献１】特開平２００３−１０１８９８号公報
【特許文献２】特開平２０００−３３２６３２号公報
【発明の開示】
【発明が解決しようとする課題】
【０００３】
ところで、ディジタル放送の受信において、電波受信不能状態或いはパケット欠落等によって受信番組の映像表示不能状態が生じた場合、「受信できません」といったメッセージを表示することが考えられるが、これではユーザにとっての利便性に不満が生じる。
【０００４】
この発明は、上記事情に鑑み、受信番組の映像表示不能状態が生じた場合でもユーザにおける情報取得に関する利便性を向上できるディジタル放送受信装置を提供することを目的とする。
【課題を解決するための手段】
【０００５】
この発明のディジタル放送受信装置は、上記の課題を解決するために、ディジタル放送を受信して各種データを取得するディジタル放送受信装置において、受信番組の映像表示不能状態かどうかを判断する手段と、映像表示不能状態と判断されたときに前記各種データとして取得しておいた当該受信番組の番組情報を画面に表示する手段と、を備えたことを特徴とする。
【０００６】
また、この発明のディジタル放送受信装置は、ディジタル放送を受信して各種データを取得するディジタル放送受信装置において、受信番組の映像表示不能状態かどうかを判断する手段と、映像表示不能状態と判断されたときに前記各種データとして取得しておいたコマーシャル情報を画面に表示する手段と、を備えたことを特徴とする。
【０００７】
また、この発明のディジタル放送受信装置は、ディジタル放送を受信して各種データを取得するディジタル放送受信装置において、受信番組の映像表示不能状態かどうかを判断する手段と、映像表示不能状態と判断されたときに前記各種データとして取得しておいた一つ又は複数の番組シーン画像を画面に表示する手段と、を備えたことを特徴とする。
【０００８】
また、この発明のディジタル放送受信装置は、ディジタル放送を受信して各種データを取得するディジタル放送受信装置において、受信番組の映像表示不能状態かどうかを判断する手段と、映像表示不能状態と判断されたときに前記各種データとして取得しておいたデータ放送データを画面に表示する手段と、を備えたことを特徴とする。
【０００９】
これら構成のディジタル放送受信装置であれば、受信番組の映像表示不能状態が生じた場合でもユーザにおける情報取得に関する利便性を向上できる。
【００１０】
これら構成のディジタル放送受信装置において、ネットワーク接続手段と、受信ファイル閲覧手段とを備え、映像表示不能状態と判断されたときに前記各種データとして取得しておいたサイト接続情報に基づくボタンを画面に表示し、前記ボタンに対する操作がなされたときにネットワーク接続を行って画面に受信ファイルを表示するように構成されていてもよい。また、受信番組の映像表示不能状態と判断されたときに、所定の指令を当該受信装置に与えるためのボタンを画面表示するように構成されていてもよい。また、受信番組の映像表示不能状態と判断されたときの処理の前に、最終画像の表示を所定時間行うこととしてもよい。また、受信番組の映像表示不能状態と判断されたときの処理として選択可能な複数の処理を用意しており、ユーザにより指定されている処理を実行するように構成されていてもよい。また、受信番組の映像表示不能状態と判断されたときの処理として一つ又は複数の処理を用意しており、受信番組で指定されている処理を実行するように構成されていてもよい。
【発明の効果】
【００１１】
この発明によれば、受信番組の映像表示不能状態が生じた場合でもユーザにおける情報取得に関する利便性を向上できるという効果を奏する。
【発明を実施するための最良の形態】
【００１２】
以下、この発明の実施形態を図１乃至図６に基づいて説明する。
【００１３】
図１はこの実施形態の携帯型のディジタル放送受信装置を示したブロック図である。
【００１４】
ディジタル放送受信装置２は、図１に示すごとく、地上波ディジタルチューナ２３０及びチューナＩ／Ｆ（インターフェイス）２３１による放送受信により得られた符号化映像・音声データ、或いは、スロット２０１に差し込まれたメモリカード３等から読み出した符号化映像・音声データにより、映像を液晶表示パネル２０２上に映し出すとともに、音声をイヤホン２０３から出力するようになっている。また、地上波ディジタルチューナ２３０による放送受信により得られた符号化映像・音声データを前記メモリカード３等に記録することもできる。この記録においては、動画記録だけでなく、所定の条件下で選択された静止画（例えば、Ｉピクチャ）の記録（キャプチャ処理）も行うことができる。例えば、受信画像を順次６枚分更新記録したり、コマーシャル放送状態を判断して記録する。
【００１５】
なお，この実施形態では符号化映像・音声データはＭＰＥＧ４データであるとする。また、ＣＰＵ２０９がトランスポートストリームを入力して解釈し、ビデオストリームをＭＰＥＧ４デコーダ２０４に供給し、オーディオストリームをオーディオデコーダ（ＭＰＥＧ４−ＡＡＣ）２０６に供給し、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）を分離してメモリに格納することとする。
【００１６】
また、メモリカード３から読み出したＭＰＥＧ４データは、ＰＣＭＣＩＡインターフェイス２２０、及びシステムバス２１３を経てＭＰＥＧ４ビデオデコーダ２０４に供給される。
【００１７】
ＭＰＥＧ４デコーダ２０４は、ＭＰＥＧ４のビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５はＣＰＵ２０９から出力指示された文字等を液晶表示パネル２０２に表示するＯＳＤ（オンスクリーンディスプレイ）処理も行う。このＯＳＤ処理により、各種のメッセージ表示が可能となる。また、グラフィックスコントローラ２０５は、放送受信映像の画面サイズを縮小したり（スケーリング処理）、キャプチャした複数の静止画を一画面中に複数枚表示する等の処理も行うことができる。オーディオデコーダ２０６は、ビットストリーム中の音声符号データを復号して音声データを生成する。ＳＤＲＡＭ２１０は、ＭＰＥＧ４デコーダ２０４の上記処理において利用される。
【００１８】
ＬＣＤコントローラ２０７は、グラフィックスコントローラ２０５から供給された映像データに基づいてＬＣＤパネル２０２を駆動する。Ｄ／Ａ変換器２０８は、オーディオデコーダ２０６から出力された音声データを受け取ってＤ／Ａ変換を行い、右（Ｒ）音のアナログ信号及び左（Ｌ）音のアナログ信号を生成してイヤホン２０３に与える。
【００１９】
本体キー２１４に対する操作情報は、インターフェイス２１５及びシステムバス２１３を介してＣＰＵ２０９に与えられる。ＣＰＵ２０９は上記操作情報に基づいて必要な処理を実行する。本体キー２１４には、テンキー等の他、画面表示されたボタンを選択するための十字キー（方向キー）や決定キーなども設けられている。
【００２０】
また、ＦｌａｓｈＲＯＭ２１８やＳＤＲＡＭ２１９も備える。ＦｌａｓｈＲＯＭ２１８にはユーザにより設定された各種設定情報が格納される。電池２２１は二次電池であり、図示しない充電器から電力の供給を得てこれを蓄える。
【００２１】
ＣＰＵ２０９は、スロット２０１に装填されたＰＨＳデータカード４によるデータ送受信（インターネット接続処理、電子メール送受信など）、受信データに基づく各機能部の制御、ＦｌａｓｈＲＯＭ２１８やＳＤＲＡＭ２１９のリード／ライト制御なども行うようになっている。インターネット接続処理により、例えば、番組サイト、ＣＭサイトなどの各種サイトに接続して所定のファイルに基づく画像をＬＣＤパネル２０２に表示することができる。
【００２２】
次に、ディジタル放送の受信番組の映像表示不能状態となった場合における処理について説明していく。映像表示不能状態かどうかは、チューナ２３０における受信電界強度や誤り訂正状況などにより判断することができる。
【００２３】
（１）ＣＰＵ２０９は、映像表示不能状態となったとき、「受信できません」といったメッセージを画面表示する。更に、ＣＰＵ２０９は、当該番組の受信中に取得しておいたＰＳＩ／ＳＩから番組情報を取り出し、図２に示すごとく、放送局名、チャンネル番号、番組タイトル等を画面表示する。更に、番組情報のなかに番組サイトの閲覧先としてＵＲＩ（Uniform Resource Identifier ）が存在すれば、その選択のための番組サイトボタンを表示する。更に、同番組の次回録画を促すために、録画予約のボタンを表示する。
【００２４】
ユーザによって番組サイトボタンが操作されたときには、ＰＨＳデータカード４によるインターネット接続処理を行い、受信したファイルに基づく画像をＬＣＤパネル２０２に表示する。また、録画予約のボタンが操作されたときには、ＰＳＩ／ＳＩの番組情報に基づいて録画予約処理を行う。映像表示可能状態となったときには、元の受信番組の映像表示処理を行うこととしてもよいし、「受信可能になりました  受信しますか」といったメッセージ及び「ＹＥＳ  ＮＯ」のボタンを表示し、「ＹＥＳ」が操作されたときに元の受信番組の映像表示処理を行うこととしてもよい。或いは、ＬＥＤ等や画面の一部を明滅させ、所定キーが操作されたときに元の受信番組の映像表示処理を行うこととしてもよい。画面表示されたボタンに対する操作は、タッチパネルを設けているのであればタッチパネルからの信号により判断でき、前記ボタンが本体キーの位置等に対応して表示されるのであれば、前記本体キーからの信号により判断でき、本体の方向キー（十字キー）等でボタンにカーソルを載せて本体の決定キーを押下するのであれば、カーソル位置に基づいて判断することができる。
【００２５】
（２）ＣＰＵ２０９は、映像表示不能状態となったとき、「受信できません」といったメッセージを画面表示する。更に、ＣＰＵ２０９は、当該番組の受信中に取得しておいたコマーシャル（ＣＭ）情報（文字情報、画像情報、キャプチャ画像）を取り出し、図３に示すごとく、スポンサー名、商品名、宣伝文句等を画面表示する。更に、番組情報のなかにＣＭサイトの閲覧先としてＵＲＩ（Uniform Resource Identifier ）が存在すれば、その選択のためのＣＭサイトボタンを表示する。ユーザによってＣＭサイトボタンが操作されたときには、ＰＨＳデータカード４によるインターネット接続処理を行い、受信したファイルに基づく画像をＬＣＤパネル２０２に表示する。映像表示可能状態となったときには、前述した（１）における処理を行うこととすればよい。
【００２６】
（３）ＣＰＵ２０９は、映像表示不能状態となったとき、「受信できません」といったメッセージを画面表示する。更に、図４（ａ）に示すように、ＣＰＵ２０９は、当該番組の受信中にキャプチャしておいた複数の静止画像（番組シーン）を画面表示する。映像表示可能状態となったときには、同図（ｂ）に示すごとく、元の受信番組の映像表示処理を行う。
【００２７】
（４）ＣＰＵ２０９は、映像表示不能状態となったとき、「受信できません」といったメッセージを画面表示する。更に、図５に示すように、ＣＰＵ２０９は、当該番組の受信中に取得しておいた天気予報を画面表示する。天気予報の情報は例えば、番組に付随するデータ放送データとして取得することができる。映像表示可能状態となったときには、前述した（１）における処理を行うこととすればよい。天気予報に限らず、他のニュース等の情報を表示してもよい。
【００２８】
上述した（１）乃至（４）の処理の開始タイミング（映像表示不能状態後直ちに行うか、映像表示不能状態が所定時間継続したときに行うか、当該所定時間をどれくらいの時間とするか等）はユーザにより設定できる構成としている。また、（１）乃至（４）の処理のどれを採用するかについてもユーザ設定可能としている。一方、（１）乃至（４）の処理のどれを採用させるかを放送局側（番組指定）で行うこととしてもよい。すなわち、映像表示不能状態となったときに、番組映像に代えてどのような情報をユーザに提供するかを、放送局側で予め番組情報等に載せて指定することとしてもよい。ディジタル放送受信装置２は、そのＯＳ（オペレーティングシステム）において上記のような指定に応じて処理を実行するために、ＡＰＩ（アプリケーション・プログラミング・インターフェイス）を用意しておくのがよい。放送局側の指定がない場合にユーザ指定の処理を行うこととしてもよい。また、受信番組の映像表示不能状態と判断されたときの処理の前に、最終画像の表示を所定時間行うことしてもよく、この所定時間についてもユーザ設定可能としておくのがよい。
【００２９】
図６はテレビ表示処理の一例を示したフローチャートである。ディジタル放送の受信中に一定以上のパケットエラーが発生した場合（ステップＳ１，ステップＳ２でＹＥＳ）、「受信できません」のメッセージを表示する（ステップＳ３）。この表示後に一定時間が経過すると（ステップＳ４でＹＥＳ）、放送局指定の処理（番組指定処理）が有るかどうかを判断し（ステップＳ５）、在れば放送局指示に従った処理を行い（ステップＳ６）、無ければユーザによって予め指定されている処理を実行する（ステップＳ７）。なお、予め指定がない場合には、処理可能な内容の一覧を表示し、ユーザに選択させることとしてもよい。
【００３０】
なお、上記の例では、ディジタル放送受信装置が携帯型（携帯電話、ＰＤＡ等）として構成される例を示したが、例えば、車載型のディジタル放送受信装置、或いは据置型のディジタル放送受信装置として構成してもよいものである。
【図面の簡単な説明】
【００３１】
【図１】この発明の実施形態の携帯型のディジタル放送受信装置の構成を示したブロック図である。
【図２】受信番組の映像表示不能状態が生じた場合の表示画面例を示した説明図である。
【図３】受信番組の映像表示不能状態が生じた場合の表示画面例を示した説明図である。
【図４】同図（ａ）は受信番組の映像表示不能状態が生じた場合の表示画面例を示した説明図であり、同図（ｂ）は視聴再開時の画面説明図である。
【図５】受信番組の映像表示不能状態が生じた場合の表示画面例を示した説明図である。
【図６】処理例を示したフローチャートである。
【符号の説明】
【００３２】
２    ディジタル放送受信装置
２０２  ＬＣＤパネル
２０５  グラフィックスコントローラ
２０７  ＬＣＤコントローラ
２０９  ＣＰＵ
２３０  地上ディジタルチューナ
【図１】
2005333593.tif 000003
【図２】
2005333593.tif 000004
【図３】
2005333593.tif 000005
【図４】
2005333593.tif 000006
【図５】
2005333593.tif 000007
【図６】
2005333593.tif 000008